【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ビデオデコーダにおいて実施されるビデオデコーディング方法であって、
インターレースフィールドピクチャを含むベースレイヤビデオコンテンツと、プログレッシブフレームピクチャを含むエンハンスメントレイヤビデオコンテンツとを含む、ビデオ信号を受信するステップと、
ビデオピクチャをリサンプリングするのに使用するクロスレイヤ位相整列パラメータの１または複数のセットをストアするステップと、
前記ベースレイヤ内のフィールドピクチャ、並びに、ストアされたクロスレイヤ位相整列パラメータの前記セットの１または複数に基づいて、前記エンハンスメントレイヤ内の少なくとも１つのプログレッシブフレームピクチャを予測する際に使用するための、１または複数のプログレッシブフレームレイヤ間参照（ＩＬＲ）ピクチャを組み立てるステップと、
前記ＩＬＲピクチャを使用して、エンハンスメントレイヤピクチャを予測するステップと
を備えることを特徴とする方法。
【請求項２】
前記インターレースフィールドピクチャは、トップフィールドピクチャと、ボトムフィールドピクチャとを含むことを特徴とする請求項１に記載の方法。
【請求項３】
ストアされたクロスレイヤ位相整列パラメータの前記１または複数のセットの第１のセットを使用して、トップフィールドピクチャをリサンプリングするステップと、ストアされたクロスレイヤ位相整列パラメータの前記１または複数のセットの第２のセットを使用して、ボトムフィールドピクチャをリサンプリングするステップと
をさらに備えることを特徴とする請求項１に記載の方法。
【請求項４】
クロスレイヤ位相整列パラメータの前記ストアされた１または複数の前記セットの各々は、
前記１もしくは複数のＩＬＲピクチャのルーマ成分のための水平位相フィルタを選択するために使用されるｐｈａｓｅＸ情報、
前記１もしくは複数のＩＬＲピクチャのクロマ成分の少なくとも１つのための水平位相フィルタを選択するために使用されるｐｈａｓｅＸＣ情報、
前記１もしくは複数のＩＬＲピクチャの前記ルーマ成分のための垂直位相フィルタを選択するために使用されるｐｈａｓｅＹ情報、および／または
前記１もしくは複数のＩＬＲピクチャの前記クロマ成分の少なくとも１つのための垂直位相フィルタを選択するために使用されるｐｈａｓｅＹＣ情報
を含むことを特徴とする請求項１に記載の方法。
【請求項５】
送信されているクロスレイヤ位相整列パラメータのセットの数を示す数インジケータを受信するステップ
をさらに備えることを特徴とする請求項１に記載の方法。
【請求項６】
前記少なくとも１つのＩＬＲピクチャを組み立てる際に使用される、クロスレイヤ位相整列パラメータの前記ストアされた１または複数のセットの中からのクロスレイヤ位相整列パラメータの少なくとも１つのセットを示している少なくとも１つのインデックスインジケータを受信するステップ
をさらに備えることを特徴とする請求項１に記載の方法。
【請求項７】
前記少なくとも１つのインデックスインジケータは、スライスセグメントヘッダ内で受信されることを特徴とする請求項６に記載の方法。
【請求項８】
前記１または複数のＩＬＲピクチャを組み立てる前記ステップは、
前記受信された少なくとも１つのインデックスインジケータによって示されたクロスレイヤ位相整列パラメータの前記少なくとも１つのセットに基づいて、前記１または複数のＩＬＲピクチャのルーマ成分および／またはクロマ成分の少なくとも１つの再サンプリングのための位相フィルタを選択するステップ
を含むことを特徴とする請求項６に記載の方法。
【請求項９】
前記少なくとも１つのインデックスインジケータは、前記ビデオ信号のスライスと関連付けられ、前記方法は、前記スライスと関連付けられた前記インデックスインジケータに従って、前記ＩＬＲピクチャを組み立てる際に使用するための、前記ベースレイヤビデオコンテンツ内のスライスのための水平位相フィルタおよび垂直位相フィルタの少なくとも１つを調整するステップをさらに備えることを特徴とする請求項８に記載の方法。
【請求項１０】
ストアされることになるクロスレイヤ位相整列パラメータの前記１または複数のセットを、シグナリングを介して受信するステップをさらに備えることを特徴とする請求項１に記載の方法。
【請求項１１】
ストアされることになるクロスレイヤ位相整列パラメータの前記１または複数のセットは、ビデオパラメータセット（ＶＰＳ）内で受信されることを特徴とする請求項１０に記載の方法。
【請求項１２】
ストアされることになるクロスレイヤ位相整列パラメータの前記１または複数のセットは、ピクチャパラメータセット（ＰＰＳ）内で受信されることを特徴とする請求項１０に記載の方法。
【請求項１３】
前記少なくとも１つのインデックスインジケータがシグナリングされているどうかを示すフラグインジケータを、シグナリングを介して受信するステップ
をさらに備えることを特徴とする請求項８に記載の方法。
【請求項１４】
クロスレイヤ位相整列パラメータの前記１または複数のセットがシグナリングされたかどうかを示すフラグインジケータを受信するステップ
をさらに備えることを特徴とする請求項１に記載の方法。
【請求項１５】
クロスレイヤ位相整列パラメータの前記１または複数のセットがシグナリングされたかどうかを示す前記フラグインジケータの第１の状態は、クロスレイヤ位相整列パラメータの前記１または複数のセットがシグナリングされないことを示し、および、クロスレイヤ位相整列パラメータの前記１または複数のセットが推測されることになることを示すことを特徴とする請求項１４に記載の方法。
【請求項１６】
クロスレイヤ位相整列パラメータの前記推測された１または複数のセットは、ルーマ水平位相パラメータ、ルーマ垂直位相パラメータ、クロマ水平位相パラメータ、およびクロマ垂直位相パラメータを含むセットを含み、前記ルーマ水平位相パラメータ、前記ルーマ垂直位相パラメータ、および前記クロマ水平位相パラメータは、同じ値を有し、前記クロマ水平位相パラメータおよび前記クロマ垂直位相パラメータは、互いに異なる値を有することを特徴とする請求項１５に記載の方法。
【請求項１７】
クロスレイヤ位相整列パラメータの前記推測された１または複数のセットは、以下を含むセットであること、すなわち、
前記１または複数のＩＬＲピクチャのルーマ成分のための水平位相フィルタを選択するために使用されるｐｈａｓｅＸ情報が０であり、
前記１または複数のＩＬＲピクチャのクロマ成分の少なくとも１つのための水平位相フィルタを選択するために使用されるｐｈａｓｅＸＣ情報が０であり、
前記１または複数のＩＬＲピクチャの前記ルーマ成分のための垂直位相フィルタを選択するために使用されるｐｈａｓｅＹ情報が０であり、
前記１または複数のＩＬＲピクチャの前記クロマ成分の少なくとも１つのための垂直位相フィルタを選択するために使用されるｐｈａｓｅＹＣ情報が１である
セットであることを特徴とする請求項１５に記載の方法。
【請求項１８】
ビデオエンコーダにおいて実施されるビデオエンコーディング方法であって、
インターレースフィールドピクチャを含むベースレイヤビデオコンテンツと、プログレッシブフレームピクチャを含むエンハンスメントレイヤビデオコンテンツとを含む、ビデオ信号を送信するステップと、
前記ベースレイヤ内のビデオピクチャを再サンプリングする際に使用するための、クロスレイヤ位相整列パラメータの１または複数のセットを送信するステップであって、前記ベースレイヤ内のフィールドピクチャ、並びに、クロスレイヤ位相整列パラメータの前記セットの１または複数に基づいて、前記エンハンスメントレイヤ内の少なくとも１つのプログレッシブフレームピクチャを予測するための、１または複数のプログレッシブフレームレイヤ間参照（ＩＬＲ）ピクチャを組み立てる際にビデオデコーダによって使用するために、送信するステップと
を備えることを特徴とする方法。
【請求項１９】
クロスレイヤ位相整列パラメータの前記１または複数のセットの各々は、
前記ＩＬＲピクチャのルーマ成分のための水平位相フィルタを選択するために使用されるｐｈａｓｅＸ情報、
前記ＩＬＲピクチャのクロマ成分の少なくとも１つのための水平位相フィルタを選択するために使用されるｐｈａｓｅＸＣ情報、
前記ＩＬＲピクチャの前記ルーマ成分のための垂直位相フィルタを選択するために使用されるｐｈａｓｅＹ情報、および／または
前記ＩＬＲピクチャの前記クロマ成分の少なくとも１つのための垂直位相フィルタを選択するために使用されるｐｈａｓｅＹＣ情報
を含むことを特徴とする請求項１８に記載の方法。
【請求項２０】
送信されている位相値のセットの数を示す数インジケータを送信するステップ
をさらに含むことを特徴とする請求項１８に記載の方法。
【請求項２１】
前記ＩＬＲピクチャを組み立てる際に使用される、クロスレイヤ位相整列パラメータの前記１または複数のセットの中からのクロスレイヤ位相整列パラメータの少なくとも１つのセットを示す、少なくとも１つのインデックスインジケータを送信するステップ
をさらに備えることを特徴とする請求項１８に記載の方法。
【請求項２２】
前記少なくとも１つのインデックスインジケータは、スライスセグメントヘッダ内で送信されることを特徴とする請求項２１に記載の方法。
【請求項２３】
クロスレイヤ位相整列パラメータの前記１または複数のセットは、ピクチャパラメータセット（ＰＰＳ）内で送信されることを特徴とする請求項１８に記載の方法。
【請求項２４】
前記少なくとも１つのインデックスインジケータがシグナリングされているかどうかを示すフラグインジケータを送信するステップ
をさらに備えることを特徴とする請求項２３に記載の方法。
【請求項２５】
クロスレイヤ位相整列パラメータの前記１または複数のセットがシグナリングされるか、または推測されるかを示すフラグインジケータを送信するステップ
をさらに備えることを特徴とする請求項１８に記載の方法。
【請求項２６】
クロスレイヤ位相整列パラメータの前記推測された１または複数のセットは、ルーマ水平位相パラメータ、ルーマ垂直位相パラメータ、クロマ水平位相パラメータ、およびクロマ垂直位相パラメータを含むセットを含み、前記ルーマ水平位相パラメータ、前記ルーマ垂直位相パラメータ、および前記クロマ水平位相パラメータは、同じ値を有し、前記クロマ水平位相パラメータおよび前記クロマ垂直位相パラメータは、互いに異なる値を有することを特徴とする請求項２５に記載の方法。